(57)【特許請求の範囲】
【請求項１】
舞台の上方に昇降可能に吊持される音響反射板と、該音響反射板に連動して昇降可能に取り付けられると共に当該音響反射板と独立して独自に昇降するライトブリッジとを有し、音響反射板の下端面を舞台の床面に接触するまで最下降させたときこの音響反射板の下端面より上方にライトブリッジを位置させ且つ音響反射板を舞台の上方に上昇させたときにこの音響反射板の下端面よりライトブリッジの少なくとも一部を下方に位置させることを特徴とする舞台吊物装置。
【請求項２】
舞台の上方にそれぞれ昇降可能に吊持される音響反射板とライトブリッジとを有し、音響反射板が一のウインチドラムに巻装のワイヤによって昇降可能に吊持されると共に、ライトブリッジが一のウインチドラムに対し同軸一体に設けられ小径に設定された他のウインチドラムに巻装のワイヤによって昇降可能に吊持されてなり、音響反射板の下端面を舞台の床面に接触するまで最下降させたときこの音響反射板の下端面より上方にライトブリッジを位置させ且つ音響反射板を舞台の上方に上昇させたときにこの音響反射板の下端面よりライトブリッジの少なくとも一部を下方に位置させることを特徴とする舞台吊物装置。
【発明の詳細な説明】
【０００１】
【発明の属する技術分野】
この発明は、劇場やホール等の舞台の上方に昇降可能に吊持されて各種の音響設備や照明設備等を保持する舞台吊物装置の改良に関する。
【０００２】
【従来技術とその問題点】
多くの場合に、劇場やホール等の舞台の上方には、演出効果を出すための各種の舞台付属物を吊持するバトンのほかに、各種複数の照明を取り付けるライトブリッジや音響効果を上げるための音響反射板等が舞台吊物装置として設備されている。
【０００３】
そして、必要に応じて、所定のバトンやライトブリッジ、さらには、音響反射板が舞台の上方で適宜の手段によって昇降されるとしている。
【０００４】
しかしながら、かかる従来の舞台吊物装置においては、バトンはもちろんのことであるが、ライトブリッジや音響反射板は、その占有する容積が大きいにもかかわらず、これ等が個々に昇降可能に設定されていた。
【０００５】
そのめに、舞台の広さ、すなわち、規模によっては、ライトブリッジと音響反射板を用意すると、必要数のバトンを装備できない不具合を招来したり、また、ライトブリッジや音響反射板が容積的に嵩む上に重量も大きいために、その昇降用の駆動装置が個々に設けられる等の不具合を招来する傾向にあった。
【０００６】
この発明は、上記した事情を鑑みて創案されたものであって、バトンはもちろんのこと、音響反射板やライトブリッジを設けても、舞台の上方のスペースの有効利用を可能にして、演出効果の多様化を可能にする舞台吊物装置を提供することを目的とする。
【０００７】
【課題を解決するための手段】
上記した目的を達成するために、この発明による舞台吊物装置の一つの手段は、 舞台の上方に昇降可能に吊持される音響反射板と、該音響反射板に連動して昇降可能に取り付けられると共に当該音響反射板と独立して独自に昇降するライトブリッジとを有し、音響反射板の下端面を舞台の床面に接触するまで最下降させたときこの音響反射板の下端面より上方にライトブリッジを位置させ且つ音響反射板を舞台の上方に上昇させたときにこの音響反射板の下端面よりライトブリッジの少なくとも一部を下方に位置させることを特徴とするものである。
【０００８】
同じく他の手段は、 舞台の上方にそれぞれ昇降可能に吊持される音響反射板とライトブリッジとを有し、音響反射板が一のウインチドラムに巻装のワイヤによって昇降可能に吊持されると共に、ライトブリッジが一のウインチドラムに対し同軸一体に設けられ小径に設定された他のウインチドラムに巻装のワイヤによって昇降可能に吊持されてなり、音響反射板の下端面を舞台の床面に接触するまで最下降させたときこの音響反射板の下端面より上方にライトブリッジを位置させ且つ音響反射板を舞台の上方に上昇させたときにこの音響反射板の下端面よりライトブリッジの少なくとも一部を下方に位置させることを特徴とするものである。
【０００９】
【発明の実施の形態】
以下、この発明の一実施の形態を図に基づいて説明する。
図１はこの発明による舞台吊物装置の一実施の形態を示し、これは 舞台の上方に昇降可能に吊持される音響反射板１と、該音響反射板１に連動して昇降可能に取り付けられると共に当該音響反射板１と独立して独自に昇降するライトブリッジ１２とを有し、音響反射板１の下端面を舞台の床面Pに接触するまで最下降させたときこの音響反射板１の下端面より上方にライトブリッジ１２を位置させ且つ音響反射板１を舞台の上方に上昇させたときにこの音響反射板１の下端面よりライトブリッジ１２の少なくとも一部を下方に位置させることを特徴とするものである。
また図２は本発明の他の実施の形態に係り、これは、 舞台の上方にそれぞれ昇降可能に吊持される音響反射板１とライトブリッジ１２とを有し、音響反射板１が一のウインチドラム３８に巻装のワイヤ３３によって昇降可能に吊持されると共に、ライトブリッジ１２が一のウインチドラム３８に対し同軸一体に設けられ小径に設定された他のウインチドラム３９に巻装のワイヤ３４によって昇降可能に吊持されてなり、音響反射板１の下端面を舞台の床面Pに接触するまで最下降させたときこの音響反射板１の下端面より上方にライトブリッジ１２を位置させ且つ音響反射板１を舞台の上方に上昇させたときにこの音響反射板１の下端面よりライトブリッジ１２の少なくとも一部を下方に位置させることを特徴とするものである
以下更に詳しく説明する。
図１は、この発明の舞台吊物装置を示す一部を破断した側面断面図であり、同図において、１は、舞台吊物装置を構成する音響反射板であって、これが天井より吊下げられて舞台の床面Ｐ上に設置される。
【００１０】
この音響反射板１は、正面板１ａと、この正面板１ａの両側にヒンジ部材（図示しない）を介して開閉自在につまり水平回動可能に取り付けられた小幅の側面板１ｂと、正面板１ａの上部にヒンジ部材（図示しない）を介して開閉自在に取り付けられた小幅の上面板１ｃと、からなる。
【００１１】
また、２は、音響反射板１の正面板１ａの背面に一体に取り付けられた吊りフレームであり、この吊りフレーム２の上部背面に固定されたプーリ取付板３に水平軸（図示しない）を中心に回転するプーリ４が取り付けられている。
【００１２】
そして、このプーリ４と、上面板１ｃの背面に取り付けられたプーリ５と、プーリ取付板３の中央部付近に取り付けられた小プーリ７にはワイヤ６が掛けられて、このワイヤ６の一端はプーリ取付板３の下端部付近（図示しないが、吊りフレーム２でもよい）に固着され、そのワイヤ６の他端は吊りフレーム２の背面に固定された電動シリンダ８に固着されている。
【００１３】
従って、電動シリンダ８の駆動によってワイヤ６を引張りまたは弛緩することにより、上面板１ｃを正面板１ａに対して開閉作動可能にして、音響反射効果の調整を任意に行えるようにしてある。
【００１４】
また、９は、正面板１ａの背面に水平方向に突設されたウインチ支持板であって、ウインチ支持板９の下面にはウインチ１０ａおよびプーリ１０ｂが並設されており、ウインチ１０ａによって巻取りおよび巻戻しされるワイヤ１１の一端はプーリ１０ｂを介してライトブリッジ１２の一部に止着され、そのワイヤ１１の他端は直接ライトブリッジ１２の他の一部に止着されている。
【００１５】
このライトブリッジ１２は、特定の明るさや発光色を持つ複数種類，サイズの照明用のライト１３を装架するように用いられ、主に、これらのライト１３は、図に示すようにライトブリッジ１２本体の下部に突出するように装架される。
【００１６】
また、このライトブリッジ１２は、正面板１ａ背面に一体のガイド板１４に沿って昇降可能に支持されている。
【００１７】
１５は、吊りフレーム２の上端部にＨ型鋼材１６を介して回転自在に取付られたプーリであって、１７は、ウインチ支持板９の上端面に取り付けられたプーリであり、これらのプーリ１５，１７は、それぞれ別々のワイヤ１８，１９に支承されている。
【００１８】
これらの各ワイヤ１８，１９の各一端は、天井支持面２０の一部にそれぞれ止着固定され、他端部は、各プーリ１５，１７を介して天井支持面２０に取り付けられたプーリ２１，２２と、それぞれ共通に使用される押えプーリ２３およびウインチ２４を介して一つのカウンタウエイト２５に止着されている。
【００１９】
ここで、図では、ワイヤ１８，１９の天井支持面２０における止着固定部とこれらのワイヤ１８，１９をガイドするプーリ２１，２２の位置が重なるように示してあるが、正面板１ａを正面から見た場合には、これらの位置は左右にずれており、このため、各ワイヤ１８，１９の往部および復部が互いに干渉することはない。
【００２０】
従って、ウインチ２４の駆動によって、各ワイヤ１８，１９は、等量ずつ移動して、音響反射板１の昇降を安定した姿勢にて行えることとなる。
【００２１】
かかる構成になる舞台吊物装置では、ウインチ２４の駆動により各ワイヤ１８，１９を巻き上げることで、音響反射板１およびライトブリッジ１２を舞台の上方の所定の高さに持ち上げたり、音響反射板１の下端面が舞台の床面Ｐに接触するまで、引き降ろすことができる。
【００２２】
そして、このように音響反射板１を舞台の床面Ｐに接触するまで降ろす場合には、灯具である各ライト１３の床着きおよびこれによる破損を防止するために、専用のウインチ１０ａを駆動させ、ワイヤ１１によってそのライトブリッジ１２のみを、ガイド板１４に沿って上昇させる。
【００２３】
一方、ライト１３による照明が必要となる場合には、音響反射板１を上昇させて舞台の上方に位置させ、ライトブリッジ１２の少なくとも一部が音響反射板１の下端よりも下方に位置するようにウインチ１０ａを駆動させる。
【００２４】
このように、音響反射板１とライトブリッジ１２とはそれぞれ独自の機能を有するが、これらが一体化され、ライトブリッジ１２が独自に昇降作動するように構成されているため、ライトの床着きがなく、これらの舞台の上方における占有空間を十分に抑えることが可能となり、その分より多くのバトンの設置が可能となる。
【００２５】
また、音響反射板１は、側面板１ｂおよび上面板１ｃをそれぞれ任意かつ必要な角度に開閉することによって、これによって反射される音響の指向性を設定したり、音質改善を図ったりすることができる。
【００２６】
なお、押えプーリ２３，ウインチ２４およびカウンタウエイト２５は、必要に応じ天井の簀の子内へ設置することができる。
【００２７】
図２は、この発明の実施の他の形態を示すもので、これが、図１の例に示したものと異なるところは、上記のようなライトブリッジ１２に専用のウインチ１０ａの設置を省き、天井支持面２０に取り付けられ、かつ各一のプーリ３１，３２を介して降された各一のワイヤ３３，３４の一端に、上記吊りフレーム２およびライトブリッジ１２を別々に吊持させた点である。
【００２８】
この場合において、各ワイヤ３３，３４の他端は、押えロール３５，３６および共通の支軸３７に固定されるも、外径寸法が異なる各一、すなわち、一のウインチドラム３８および他のウインチドラム３９をそれぞれ介して別々の各カウンタウエイト４０，４１に止着されている。
【００２９】
ここで、一のウインチドラム３８の外径Ｄ１は、他のウインチドラム３９の外径Ｄ２に対して、Ｄ１＞Ｄ２の関係にあり、予め計算された差がでるように設定されている。
【００３０】
従って、この実施の形態では、共通の支軸３７を回転させるようにウインチドラム３８，３９を回転させると、音響反射板１の昇降ストロークがライトブリッジ１２の昇降ストロークに対して大きくなる。
【００３１】
こうすることで、上昇端付近で音響反射板１をライトブリッジ１２より少し上方に位置させることが可能になり、一方、下降端付近（舞台の床面付近）ではライトブリッジ１２を音響反射板１の下端より少し上方に位置させることが可能になり、その結果、音響反射板１の下降端でライトブリッジ１２に取り付けたライト１３が舞台の床面Ｐに衝突しなくなる。
【００３２】
従って、この例では、一つの駆動用の支軸３７の駆動でライト１３の下降時の損傷を未然に回避でき、図１に示すように、専用のウインチ１０ａを設けることによる構成の複雑化とハイコスト化を有効に避けることが可能となり、さらに、駆動部の占有空間を小さく抑えることができ、省スペース化による空間の有効利用を可能にする。
【００３３】
【発明の効果】
以上のように、請求項１の発明によれば、舞台の上方に昇降可能に吊持される音響反射板と、該音響反射板に連動して昇降可能に取り付けられると共に当該音響反射板と独立して独自に昇降するライトブリッジとを有し、音響反射板の下端面を舞台の床面に接触するまで最下降させたときこの音響反射板の下端面より上方にライトブリッジを位置させ且つ音響反射板を舞台の上方に上昇させたときにこの音響反射板の下端面よりライトブリッジの少なくとも一部を下方に位置させようにしたから、音響反射板およびライトブリッジの舞台の上方における占有スペースを小さく抑え、もってバトンの増設およびこれに伴う演出効果の多様化を図ることが可能になる利点がある。
【００３４】
また、請求項２の発明によれば、 舞台の上方にそれぞれ昇降可能に吊持される音響反射板とライトブリッジとを有し、音響反射板が一のウインチドラムに巻装のワイヤによって昇降可能に吊持されると共に、ライトブリッジが一のウインチドラムに対し同軸一体に設けられ小径に設定された他のウインチドラムに巻装のワイヤによって昇降可能に吊持されてなり、音響反射板の下端面を舞台の床面に接触するまで最下降させたときこの音響反射板の下端面より上方にライトブリッジを位置させ且つ音響反射板を舞台の上方に上昇させたときにこの音響反射板の下端面よりライトブリッジの少なくとも一部を下方に位置させるようにしたので、音響反射板の昇降ストロークをライトブリッジの昇降ストロークよりも大きくすることが可能になり、これによって、音響反射板の舞台の床面付近に至ったとき、ライトブリッジをその床面から離れた一定の高さまで上昇させることができ、ライトブリッジに設けたライトの床着きによる事故発生を未然に回避できるという効果が得られる。
【００３５】
そして、この場合には、ライトブリッジを独自に昇降させるウインチを吊りフレーム側に設ける必要がなくなるため、システムの重量軽減と更なるローコスト化を実現できるという効果が得られる。
【図面の簡単な説明】
【図１】この発明の一実施の形態による舞台吊物装置を示す側面断面図である。
【図２】この発明の他の実施の形態による舞台吊物装置を示す断面図である。
【符号の説明】
１  音響反射板
１２  ライトブリッジ
１８，１９，３３，３４  ワイヤ
３８  一のウインチドラム
３９  他のウインチドラム
【図１】
0003758764.tif 000002
【図２】
0003758764.tif 000003